(57)【要約】  【課題】商品の売買契約先の紹介を容易ならしめる。  【解決手段】クライアント装置から購入条件情報を受信した際に（ｓ５６０「ＹＥＳ」）、この時点で販売可能な商品に関する情報として登録されている販売希望情報の中から、その購入条件情報で示される条件との適合度が高い販売希望情報を検索し（ｓ５７０）、こうして検出された販売希望情報に基づく商品の出品者に関する情報を売買契約先の紹介として、購入希望者に送信する。つまり、売買契約先紹介処理を実行することにより、購入条件情報を入力した購入希望者に対して、その購入条件情報との適合度が高い販売希望情報と対応付けられた特定情報により特定される商品出品者が、売買契約先として紹介されることになる。【選択図】図３
2010134843.tif 000002
【特許請求の範囲】
【請求項１】
ネットワークを介して通信可能なクライアント装置から、該クライアント装置のユーザにおいて販売可能な商品に関する情報として送信されてくる販売希望情報を収集する販売情報収集手段と、
該販売情報収集手段により収集された販売希望情報を、それぞれ該販売希望情報の送信元であるクライアント装置のユーザを特定可能な特定情報と対応づけて登録する販売情報登録手段と、
ネットワークを介して通信可能なクライアント装置から、該クライアント装置のユーザにおいて購入を希望する商品についての条件を示す購入条件情報を受信した際に、該購入条件情報で示される条件に適合する販売希望情報を、前記販売情報登録手段により登録された販売希望情報の中から検索する販売情報検索手段と、
該販売情報検索手段により検出された販売希望情報に対応付けられた特定情報を、前記商品の売買契約先についての紹介として送信する特定情報送信手段と、を備えている
ことを特徴とする売買契約先紹介システム。
【請求項２】
ネットワークを介して通信可能なクライアント装置から、該クライアント装置のユーザにおいて購入可能な商品に関する情報として送信されてくる購入希望情報を収集する購入情報収集手段と、
該購入情報収集手段により収集される購入希望情報を、それぞれ該購入希望情報の送信元であるクライアント装置のユーザを特定可能な特定情報と対応づけて登録する購入情報登録手段と、
ネットワークを介して通信可能なクライアント装置から、該クライアント装置のユーザにおいて販売を希望する商品についての条件を示す販売条件情報を受信した際に、該販売条件情報で示される条件に適合する購入希望情報を、前記購入情報登録手段により登録された購入希望情報の中から検索する購入情報検索手段と、
該購入情報検索手段により検出された購入希望情報に対応付けられた特定情報を、前記商品の売買契約先についての紹介として送信する特定情報送信手段と、を備えている
ことを特徴とする売買契約先紹介システム。
【発明の詳細な説明】
【技術分野】
【０００１】
本発明は、商品の売買契約先を紹介するための売買契約先紹介システムに関する。
【背景技術】
【０００２】
現在、建設業においては、各工事にて必要とされる資材や、各工事にて使用する工具・用具を十分に確保した上で、工事を実施することがなされている。このため、工事によっては、確保した資材や用具が、工事の実施が完了した時に余ってしまうことがある。そのような資材や用具については、現在、各企業が独自に、廃棄したり、購入者（即ち、売買契約先）を探して売却したりすることがなされていた。
【発明の開示】
【発明が解決しようとする課題】
【０００３】
ただ、上述のように、各企業が独自に売買契約先を探すようなことは容易ではないため、そのようなことを容易に実現するための技術が要望されていた。
【０００４】
本発明は、このような課題を解決するためになされたものであり、その目的は、商品の売買契約先についての紹介を容易ならしめるための売買契約先紹介システムを提供することである。
【課題を解決するための手段】
【０００５】
上記目的を達成するためになされた請求項１に記載の売買契約先紹介システムは、ネットワークを介して通信可能なクライアント装置から、該クライアント装置のユーザにおいて販売可能な商品に関する情報として送信されてくる販売希望情報を収集する販売情報収集手段と、該販売情報収集手段により収集された販売希望情報を、それぞれ該販売希望情報の送信元であるクライアント装置のユーザを特定可能な特定情報と対応づけて登録する販売情報登録手段と、ネットワークを介して通信可能なクライアント装置から、該クライアント装置のユーザにおいて購入を希望する商品についての条件を示す購入条件情報を受信した際に、該購入条件情報で示される条件に適合する販売希望情報を、前記販売情報登録手段により登録された販売希望情報の中から検索する販売情報検索手段と、該販売情報検索手段により検出された販売希望情報に対応付けられた特定情報を、前記商品の売買契約先についての紹介として送信する特定情報送信手段と、を備えている。
【０００６】
このように構成された売買契約先紹介システムによれば、購入条件情報を入力したユーザ（以下、購入希望者とする）に対して、その購入条件情報との適合度が高い販売希望情報と対応付けられた特定情報により特定されるユーザ（以下、商品出品者とする）が、売買契約先として紹介されることになる。
【０００７】
したがって、請求項１に記載の売買契約先紹介システムによれば、購入希望者は、商品出品者との間で連絡を取って商品の売買についての交渉を行うことができるようになり、ユーザ間（例えば、建設企業間）での売買契約先の紹介を容易に行うことができるようになる。
【０００８】
また、上記目的を達成するためになされた請求項２に記載の売買契約先紹介システムは、ネットワークを介して通信可能なクライアント装置から、該クライアント装置のユーザにおいて購入可能な商品に関する情報として送信されてくる購入希望情報を収集する購入情報収集手段と、該購入情報収集手段により収集される購入希望情報を、それぞれ該購入希望情報の送信元であるクライアント装置のユーザを特定可能な特定情報と対応づけて登録する購入情報登録手段と、ネットワークを介して通信可能なクライアント装置から、該クライアント装置のユーザにおいて販売を希望する商品についての条件を示す販売条件情報を受信した際に、該販売条件情報で示される条件に適合する購入希望情報を、前記購入情報登録手段により登録された購入希望情報の中から検索する購入情報検索手段と、該購入情報検索手段により検出された購入希望情報に対応付けられた特定情報を、前記商品の売買契約先についての紹介として送信する特定情報送信手段と、を備えている。
【０００９】
このように構成された売買契約先紹介システムによれば、販売条件情報を入力したユーザ（以下、販売希望者とする）に対して、その販売条件情報との適合度が高い購入希望情報と対応付けられた特定情報により特定されるユーザ（以下、商品購入者とする）が、売買契約先として紹介されることになる。
【００１０】
したがって、請求項２に記載の売買契約先紹介システムによれば、販売希望者は、商品購入者との間で連絡を取って商品の売買についての交渉を行うことができるようになり、ユーザ間（例えば、建設企業間）での売買契約先の紹介を容易に行うことができるようになる。
【００１１】
なお、上述した各売買契約先紹介システムは、１または２以上のコンピュータシステムに実装可能なプログラムとして構成することもできる。このプログラムは、上記売買契約先紹介システムにおける各手段として機能させるための各種処理手順をコンピュータシステムに実行させるものとして構成し、これを売買契約先紹介システムに実装した状態で提供したり、このシステムのユーザに対して各種記憶媒体や通信回線を介して提供したりすればよい。
【発明を実施するための最良の形態】
【００１２】
以下に本発明の実施形態を図面と共に説明する。
（１）全体構成
売買契約先紹介システム１は、図１に示すように、複数のクライアント装置１０とネットワーク２０を介して通信可能に接続されたものである。
【００１３】
この売買契約先紹介システム１は、制御部，記憶部，通信部などを備えた周知のコンピュータシステムであって、その通信部を介してネットワーク２０へと接続されている。
【００１４】
また、この売買契約先紹介システム１には、ネットワーク２０を介して各種ウェブページを配信するためのウェブサーバとして機能させるためのアプリケーションプログラムや、後述する各種処理を実行するためのプログラムなどが実装されている。
【００１５】
また、クライアント装置１０は、それぞれ制御部，記憶部，通信部，表示部，操作部などを備えた周知のコンピュータシステムであって、その通信部を介してネットワーク２０へと接続されている。
（２）売買契約先紹介システム１による処理
以下に、売買契約先紹介システム１の制御部により実行される各種処理について説明する。
（２−１）売買契約先紹介処理
はじめに、売買契約先紹介システム１がネットワーク２０を介してクライアント装置１０からのアクセスを受けることにより起動される売買契約先紹介処理の処理手順を図２〜図４に基づいて説明する。
【００１６】
この売買契約先紹介処理が起動されると、まず、この起動の契機となったアクセス元のクライアント装置１０（以降、単に「クライアント装置１０」という）に対して、本売買契約先紹介システム１が提供可能なウェブサイトの基点となるトップページが配信される（ｓ１１０）。
【００１７】
図５（ａ）に示すように、トップページは、会員登録用の登録要求ボタン１１０，ログイン用のログイン開始ボタン１２０などが配置されてなるウェブページである。さらに、トップページは、クライアント装置１０側を利用するユーザにおいて販売または購入を希望する商品（例えば、建設用資材や、建設用材料、工具、用具など）に関する情報の登録をそれぞれ要求するための購入希望登録ボタン２１０，販売希望登録ボタン２２０、他のユーザにおいて販売可能または購入可能な商品に関する情報の検索をそれぞれ要求するための販売条件ボタン２３０，購入条件ボタン２４０、などが配置されてなるウェブページである。
【００１８】
このトップページの配信を受けたクライアント装置１０側では、これが表示部に表示された後、上記いずれかのボタンを選択するための操作を操作部により行うことができるようになる。そして、クライアント装置１０からは、登録要求ボタン１１０を選択するための操作が行われたことによって、会員登録を要求する旨の情報である登録要求が送信され、また、ログイン開始ボタン１２０を選択するための操作が行われたことによって、ログイン情報の入力を要求する旨の情報である情報入力要求が送信されてくる。さらに、購入希望登録ボタン２１０を選択するための操作が行われることによって、当該ユーザが購入を希望する商品に関する情報の登録を要求するための購入希望入力要求が送信され、販売希望登録ボタン２２０を選択するための操作が行われることによって、当該ユーザが販売を希望する商品に関する情報の登録を要求するための販売希望入力要求が送信されてくる。また、販売条件ボタン２３０を選択するための操作が行われることによって、当該ユーザ自身が購入を希望し、かつ他のユーザが出品している商品に関する情報の検索を要求するための販売検索要求が送信されてくる。そして、購入条件ボタン２４０を選択するための操作が行われることによって、当該ユーザ自身が出品し、かつ他のユーザが購入を希望している商品に関する情報の検索を要求するための購入検索要求が送信されてくる。
【００１９】
このｓ１１０にてトップページが配信された以降、クライアント装置１０からのレスポンスがあるか否かがチェックされる（ｓ１２０）。
【００２０】
このｓ１２０にてクライアント装置１０からのレスポンスがあったと判定された場合（ｓ１２０：ＹＥＳ）、そのレスポンスが登録要求であれば（ｓ１３０：ＹＥＳ）、そのクライアントに対して会員登録用の会員登録ページが配信される（ｓ１４０）。
【００２１】
この会員登録ページは、図５（ｂ）に示すように、会員登録に必要な各種情報を入力するための入力欄１３０，これら入力欄１３０に入力した情報を送信するための登録ボタン１４０などが配置されてなるウェブページである。なお、この入力欄１３０は、個人ユーザについての情報を登録するための会員情報登録欄と、法人ユーザについての情報を登録するための法人情報登録欄とを備えてなる。このうち、会員情報登録欄には、申込者名，住所，電話番号，ＦＡＸ番号，電子メールアドレスなどを入力するための入力欄が用意されている。また、法人情報登録欄には、企業名，住所，電話番号，ＦＡＸ番号，電子メールアドレス，企業の担当者名などを入力するための入力欄が用意されている。
【００２２】
この会員登録ページの配信を受けたクライアント装置１０側では、これが表示部に表示された後、上記入力欄１３０に情報を入力するための操作，および，登録ボタン１４０を選択するための操作を操作部により行うことができるようになる。そして、クライアント装置１０からは、登録ボタン１４０を選択するための操作が行われることによって、その時点において入力欄１３０に入力されていた情報が会員登録用の会員情報として送信されてくる。
【００２３】
こうして、会員登録ページが配信された後、プロセスがｓ１２０へと戻る。
【００２４】
また、上記ｓ１２０におけるレスポンスが会員情報であれば（ｓ１３０：ＮＯ，ｓ１５０：ＹＥＳ）、この会員情報に基づいてユニークなユーザＩＤ（本実施形態では、会員情報における電子メールアドレス）およびパスワードが生成される（ｓ１６０）。
【００２５】
次に、上記会員情報と、上記ｓ１６０にて生成されたユーザＩＤおよびパスワードと、が会員データベースに登録される（ｓ１７０）。ここでは、会員情報を構成する各情報と、ユーザＩＤおよびパスワードと、をそれぞれセットしてなるデータレコードが、会員情報登録用の会員データベースに登録される。
【００２６】
次に、こうして会員登録が終了した旨を通知するための登録通知情報が生成され（ｓ１８０）、これがクライアント装置１０に対して配信される（ｓ１９０）。
【００２７】
ここでは、図６（ａ）に示すように、上記ｓ１６０にて生成されたパスワードおよびユーザＩＤ，会員情報を構成する各情報，ログイン用のウェブページであるログインページへのハイパーリンク１５０が記載されてなる電子メールまたはウェブページが登録通知情報として生成され、これがクライアント装置１０に対して配信される。
【００２８】
この登録通知情報の配信を受けたクライアント装置１０側では、これが表示部に表示された後、上記ハイパーリンク１５０に基づいてログインページへとアクセスするための操作を操作部により行うことができるようになる。そして、クライアント装置１０からは、その操作が行われることによって、ログイン情報の入力を要求する旨の情報である情報入力要求が送信されてくる。
【００２９】
こうして、登録通知情報が配信された後、プロセスがｓ１２０へと戻る。
【００３０】
また、上記ｓ１２０におけるレスポンスが情報入力要求であれば（ｓ１５０：ＮＯ，ｓ２００：ＹＥＳ）、クライアント装置１０に対して、パスワードおよびユーザＩＤによるログインを行うためのログインページが配信される（ｓ２１０）。
【００３１】
なお、上記ｓ１２０におけるレスポンスが販売希望入力要求であれば（ｓ２００：ＮＯ，ｓ２１５：ＹＥＳ）、クライアント装置１０に対して、ログインページが配信される（ｓ２１０）。
【００３２】
このログインページは、図６（ｂ）に示すように、ユーザＩＤ，パスワードをそれぞれ入力するための入力欄１６０，１７０，ログイン用のログインボタン１８０などが配置されてなるウェブページである。
【００３３】
このログインページの配信を受けたクライアント装置１０側では、これが表示部に表示された後、上記入力欄１６０，１７０に必要情報を入力するための操作，および，ログインボタン１８０を選択するための操作を操作部により行うことができるようになる。そして、クライアント装置１０からは、ログインボタン１８０を選択するための操作が行われることにより、その時点において入力欄１６０，１７０に入力されている情報を伴って、ログインを要求する旨の情報であるログイン要求が送信されてくる。
【００３４】
こうして、ログインページが配信された後、プロセスがｓ１２０へと戻る。
【００３５】
また、上記ｓ１２０によるレスポンスがログイン要求であれば（ｓ２００：ＮＯ，ｓ２１５：ＮＯ，ｓ２２０：ＹＥＳ）、このログイン要求に基づく認証が行われる（ｓ２３０）。ここでは、上記会員データベースに登録されているデータレコードの中に、そのログイン要求に伴うユーザＩＤおよびパスワードと同じ組み合わせのセットされたデータレコードが存在している場合に、認証が成功したものとされる。
【００３６】
そして、このｓ２３０で認証が成功しなかった場合（ｓ２３０：ＮＯ）、クライアント装置１０に対して、認証不成功である旨についてのメッセージが表されてなるエラーページが配信された後（ｓ２７０）、プロセスがｓ１２０へと戻る。
【００３７】
一方、ｓ２３０で、認証が成功した場合（ｓ２３０：ＹＥＳ）、その認証に係るユーザＩＤおよびパスワードのいずれか一方または両方に基づいて決まるＳＩＤ（セッションＩＤ）によるセッションが確立されることにより、以降、このセッションによるクライアント装置１０との通信が行われる状態となる（ｓ２４０）。
【００３８】
なお、こうしてセッションが確立された以降、クライアント装置１０側では、そのセッションを解放するための解放操作を操作部により行うことができ、こうして解放操作が行われることによって、そのクライアント装置１０からセッションの解放を要求すべき旨のログアウト要求が送信されてくる。
【００３９】
次に、クライアント装置１０に対して、当該ユーザ自身が販売を希望する商品に関する情報を要求するための販売希望情報入力ページが配信される（ｓ２５０）。
【００４０】
この販売希望情報入力ページは、図７に示すように、販売を希望する商品に関する情報を入力するための入力欄２６０，これら入力欄２６０に入力した情報を送信するための登録ボタン２７０などが配置されてなるウェブページである。なお、この入力欄２６０は、販売を希望する商品（以下、出品商品と称す）についての具体的な情報である販売商品情報，出品商品についての写真である販売商品写真，出品商品についてのコメントなどを入力するためのものが用意されている。このうち、販売商品情報としては、出品商品名，出品商品の価格，分類，数，販売期限，出品場所などが挙げられる。
【００４１】
この販売希望情報入力ページの配信を受けたクライアント装置１０側では、これが表示部に表示された後、上記入力欄２６０に情報を入力するための操作，および，登録ボタン２７０を選択するための操作を操作部により行うことができるようになる。そして、クライアント装置１０からは、登録ボタン２７０を選択するための操作が行われることによって、その時点において入力欄２６０に入力されていた情報が販売希望情報として送信されてくる。
【００４２】
こうして、販売希望情報入力ページが配信された後、プロセスがｓ１２０へと戻る。
【００４３】
また、上記ｓ１２０によるレスポンスが販売希望情報であれば（ｓ５２０：ＹＥＳ）、この販売希望情報が、販売希望データベースに登録される（ｓ５３０）。ここでは、販売希望情報を構成する各情報と、このセッションに係るユーザＩＤおよびパスワードと、このユーザＩＤに対応づけて会員データベースにおけるデータレコードにセットされている住所と、をセットしてなるデータレコードが、販売希望情報を登録するための販売希望データベースに登録される。
【００４４】
こうして、販売希望データベースへの登録が行われた後、プロセスがｓ１２０へと戻る。
【００４５】
また、上記ｓ１２０によるレスポンスが販売検索要求であれば（ｓ５２０：ＮＯ，ｓ５４０：ＹＥＳ）、クライアント装置１０に対して、他のユーザが販売可能であり、当該ユーザ自身が購入を希望する商品（以下、購入希望商品とする）に関する情報を検索するための販売情報検索ページが配信される（ｓ５５０）。
【００４６】
この販売情報検索ページは、図８に示すように、購入希望商品についての条件を入力するための入力欄２８０，これら入力欄２８０に入力した情報を送信するための検索開始ボタン２９０などが配置されてなるウェブページである。なお、この入力欄２８０は、購入希望商品についての具体的な種類，及び内容，その購入希望商品の出品場所などを入力するためのものが用意されている。
【００４７】
この購入情報検索ページの配信を受けたクライアント装置１０側では、これが表示部に表示された後、上記入力欄２８０に情報を入力するための操作，および，検索開始ボタン２９０を選択するための操作を操作部により行うことができるようになる。そして、クライアント装置１０からは、検索開始ボタン２９０を選択するための操作が行われることによって、その時点において入力欄２８０に入力されていた情報で構成された情報が、購入条件情報として送信されてくる。
【００４８】
こうして、販売情報検索ページが配信された後、プロセスがｓ１２０へと戻る。
【００４９】
また、上記ｓ１２０によるレスポンスが購入条件情報であれば（ｓ５４０：ＮＯ，ｓ５６０：ＹＥＳ）、この購入条件情報を構成する情報と近似する情報がセットされたデータレコード（購入条件情報との近似度が所定値以上のデータレコード）それぞれが、上記販売希望データベースにおける各データレコードの中から検索される（ｓ５７０）。
【００５０】
次に、このｓ５７０の検索結果に基づいて依頼問合ページが生成される（ｓ５８０）。ここでは、上記ｓ５７０により該当するデータレコードが検出された場合、その検出されたデータレコードにセットされたユーザＩＤおよびパスワード以外の情報を示した文字列，その文字列に対応するラジオボタン，それら情報に基づく売買契約先の紹介を依頼するための依頼要求ボタン，商品の出品者（即ち、販売者）に対して、商品についての質問を送信する質問ボタン，販売情報検索ページに基づく検索をやり直す再検索ボタンなどが配置されてなるウェブページが、依頼問合ページとして生成される。
【００５１】
次に、クライアント装置１０に対して、上記ｓ５８０にて生成された依頼問合ページが配信される（ｓ５９０）。
【００５２】
この依頼問合ページの配信を受けたクライアント装置１０からは、依頼要求ボタンを選択するための操作が行われることによって、その時点において選択されているラジオボタンに対応する文字列の基となったデータレコードが販売依頼要求として送信され、再検索ボタンを選択するための操作が行われることによって、上述した販売検索要求が送信されてくる。さらに、質問ボタンを選択するための操作が行われることによって、商品についての質問が質問送信要求として送信される。
【００５３】
こうして、依頼問合ページが配信された後、プロセスがｓ１２０へと戻る。
【００５４】
また、上記ｓ１２０によるレスポンスが質問送信要求であれば（ｓ５６０：ＮＯ，ｓ５９２：ＹＥＳ）、商品についての質問を入力し、送信するための質問送信ページが生成され、その生成された質問送信ページがクライアント装置１０に対して配信される（ｓ５９４）。
【００５５】
この質問送信ページは、図１１に示すように、購入希望商品の商品名，価格などの情報が記述された購入希望商品欄４１０、その購入希望商品の出品者（即ち、販売者）への質問を入力するための質問入力欄４２０、質問入力欄４２０に入力した情報を販売者に対して送信するための送信ボタン４３０を備えてなる。
【００５６】
この質問送信ページの配信を受けたクライアント装置１０側では、これが表示部に表示された後、上記質問入力欄４２０に情報を入力する操作、送信ボタンを選択するための操作を操作部により行うことができるようになる。そして、クライアント装置１０からは、送信ボタンを選択するための操作が行われることによって、その時点において質問入力欄４２０に入力されている文字列を質問要求として送信されてくる。
【００５７】
こうして、質問送信ページが配信された後、プロセスがｓ１２０へと戻る。
【００５８】
そして、上記ｓ１２０によるレスポンスが質問要求であれば（ｓ５９２：ＮＯ，ｓ５９６：ＹＥＳ）、質問要求を販売者が登録したアドレスに対して送信する。一方、上記ｓ１２０によるレスポンスが販売依頼要求であれば（ｓ５９６：ＮＯ，ｓ６００：ＹＥＳ）、購入者の情報を入力するための購入者情報入力ページが、クライアント装置１０に対して配信される（ｓ６３０）。
【００５９】
この購入者情報入力ページは、図９（ａ）に示すように、購入者の身元登録に必要な各種情報を入力するための入力欄５１０，これら入力欄５１０に入力した情報を送信するための登録ボタン５２０などが配置されてなるウェブページである。このうち、入力欄５１０には、購入者名，企業名，住所，電話番号，ＦＡＸ番号，電子メールアドレスなどを入力するための入力欄が用意されている。
【００６０】
この購入者情報入力ページの配信を受けたクライアント装置１０側では、これが表示部に表示された後、上記入力欄５１０に情報を入力するための操作，および，登録ボタン５２０を選択するための操作を操作部により行うことができるようになる。そして、クライアント装置１０からは、登録ボタン５２０を選択するための操作が行われることによって、その時点において入力欄５１０に入力されていた情報が購入データレコードに登録されると共に、販売決済指令として送信されてくる。
【００６１】
こうして、購入者情報入力ページが配信された後、プロセスがｓ１２０へと戻る。
【００６２】
また、上記ｓ１２０によるレスポンスが販売決済指令であれば（ｓ６００：ＮＯ，ｓ６２０：ＹＥＳ）、購入した商品について確認するための購入商品確認ページを生成・配信する（ｓ６３０）。
【００６３】
この購入商品確認ページは、図９（ｂ）に示すように、購入商品についての情報が記述された購入商品欄６１０、販売者についての情報が記述された販売者情報欄６２０、購入者についての情報が記述された購入者情報欄６３０を備えてなる。
【００６４】
このｓ６３０にて購入商品確認ページの配信が行われた後、クライアント装置１０のユーザに対して、依頼問合ページに基づいて依頼をした売買契約先の紹介をするための契約先仲介処理が起動される（ｓ６４０）。
【００６５】
ここでは、商品を購入可能なユーザ（購入可能企業）側の情報として、上記ｓ５７０で検出された購入希望データベースのデータレコードが特定され、また、商品の販売を希望するユーザ（販売希望企業）側の情報として、このセッションにおけるユーザＩＤと同じユーザＩＤがセットされた会員データベースのデータレコードが特定されたうえで、これらデータレコードを引数として契約先仲介処理が起動される（詳細は後述する）。
【００６６】
こうして、契約先仲介処理が起動された後、プロセスがｓ１２０へと戻る。
【００６７】
また、上記ｓ１２０によるレスポンスが購入希望入力要求であれば（ｓ２２０：ＮＯ，ｓ３００）、クライアント装置１０に対して、当該ユーザ自身が購入を希望している商品に関する情報を要求するための購入希望情報入力ページが配信される（ｓ３１０）。
【００６８】
この購入希望情報入力ページは、上述した販売希望情報入力ページと同様に、購入を希望する商品に関する情報を入力するための入力欄２６０，これら入力欄２６０に入力した情報を送信するための登録ボタン２７０などが配置されてなるウェブページである（図７における「販売」を「購入」と読み替えるものとする）。この購入希望情報入力ページの配信を受けたクライアント装置１０からは、登録ボタン２７０を選択するための操作が行われることによって、その時点において入力欄２６０に入力されていた情報が購入希望情報として送信されてくる。
【００６９】
こうして、購入希望情報入力ページが配信された後、プロセスがｓ１２０へと戻る。
【００７０】
また、上記ｓ１２０によるレスポンスが購入希望情報であれば（ｓ３００：ＮＯ，ｓ３２０：ＹＥＳ）、この購入希望情報が、購入希望データベースに登録される（ｓ３３０）。ここでは、購入希望情報を構成する各情報と、このセッションに係るユーザＩＤおよびパスワードと、このユーザＩＤに対応づけて会員データベースにおけるデータレコードにセットされている住所と、をセットしてなるデータレコードが、購入希望情報を登録するための購入希望データベースに登録される。
【００７１】
こうして、購入希望データベースへの登録が行われた後、プロセスがｓ１２０へと戻る。
【００７２】
また、上記ｓ１２０によるレスポンスが購入検索要求であれば（ｓ３２０：ＮＯ，ｓ３４０：ＹＥＳ）、クライアント装置１０に対して、当該ユーザ自身が出品し、かつ他のユーザが購入を希望している商品（以下、販売希望商品とする）に関する情報を検索するための購入情報検索ページが配信される（ｓ３５０）。
【００７３】
この購入情報検索ページは、上述した販売情報検索ページと同様に、販売希望商品についての条件を入力するための入力欄２８０，これら入力欄２８０に入力した情報を送信するための検索開始ボタン２９０などが配置されてなるウェブページである（図８における「販売」を「購入」と読み替えるものとする）。この購入情報検索ページの配信を受けたクライアント装置１０からは、検索開始ボタン２９０を選択するための操作が行われることによって、その時点において入力欄２８０に入力されていた情報で構成された情報が、販売条件情報として送信されてくる。
【００７４】
こうして、購入情報検索ページが配信された後、プロセスがｓ１２０へと戻る。
【００７５】
また、上記ｓ１２０によるレスポンスが販売条件情報であれば（ｓ３４０：ＮＯ，ｓ３６０：ＹＥＳ）、この販売条件情報を構成する情報と近似する情報がセットされたデータレコード（販売条件情報との近似度が所定値以上のデータレコード）それぞれが、上記購入希望データベースにおける各データレコードの中から検索される（ｓ３７０）。
【００７６】
次に、上記ｓ５８０と同様に、このｓ３７０の検索結果に基づいて依頼問合ページが生成され（ｓ３８０）、その生成された依頼問合ページが、クライアント装置１０に対して配信される（ｓ３９０）。
【００７７】
こうして、依頼問合ページが配信された後、プロセスがｓ１２０へと戻る。
【００７８】
また、上記ｓ１２０によるレスポンスが質問送信要求であれば（ｓ３６０：ＮＯ，ｓ３９２：ＹＥＳ）、商品についての質問を入力し、送信するための質問送信ページが生成され、その生成された質問送信ページがクライアント装置１０に対して配信される（ｓ３９４）。
【００７９】
こうして、質問送信ページが配信された後、プロセスがｓ１２０へと戻る。
【００８０】
そして、上記ｓ１２０によるレスポンスが質問要求であれば（ｓ３９２：ＮＯ，ｓ３９６：ＹＥＳ）、データベースに登録されているアドレスに対して質問要求を送信する。一方、上記ｓ１２０によるレスポンスが購入依頼要求であれば（ｓ３９６：ＮＯ，ｓ４００：ＹＥＳ）、購入者の情報を入力するための購入者情報入力ページが、クライアント装置１０に対して配信される（ｓ４１０）。
【００８１】
こうして、購入者情報入力ページが配信された後、プロセスがｓ１２０へと戻る。
【００８２】
また、上記ｓ１２０によるレスポンスが購入決済指令であれば（ｓ４００：ＮＯ，ｓ４２０：ＹＥＳ）、購入した商品について確認するための購入商品確認ページを生成・配信する（ｓ４３０）。
【００８３】
このｓ４３０にて購入商品確認ページの配信が行われた後、クライアント装置１０のユーザに対して、依頼問合ページに基づいて依頼をした売買契約先の紹介をするための契約先仲介処理が起動される（ｓ４４０）。
【００８４】
ここでは、商品を購入可能なユーザ（購入可能企業）側の情報として、上記ｓ３７０で検出された購入希望データベースのデータレコードが特定され、また、商品の販売を希望するユーザ（販売希望企業）側の情報として、このセッションにおけるユーザＩＤと同じユーザＩＤがセットされた会員データベースのデータレコードが特定されたうえで、これらデータレコードを引数として契約先仲介処理が起動される（詳細は後述する）。
【００８５】
こうして、契約先仲介処理が起動された後、プロセスがｓ１２０へと戻る。
【００８６】
また、上記ｓ１２０によるレスポンスがログアウト要求であれば（ｓ４２０：ＮＯ，ｓ７１０：ＹＥＳ）、上記ｓ２４０にて確立されたセッションが解放された後（ｓ７２０）、本売買契約先紹介処理が終了する。一方、上記ｓ１２０によるレスポンスがログアウト要求でなければ（ｓ７１０：ＮＯ）、そのレスポンスに応じた処理（その他の処理）が行われた後（ｓ７３０）、プロセスがｓ１２０へと戻る。
【００８７】
また、上記ｓ１２０にてレスポンスがないと判定された場合（ｓ１２０：ＮＯ）、上記ｓ１１０にてトップページが配信された以降，または，このトップページを配信したクライアントからのレスポンスを受けた以降の経過時間がタイムアウトすべき時間（例えば、１０分）に到達しているか否かがチェックされる（ｓ７４０）。
【００８８】
このｓ５４０でタイムアウトすべき時間に到達していなければ（ｓ７４０：ＮＯ）、プロセスがｓ１２０へと戻る一方、タイムアウトすべき時間に到達していれば（ｓ７４０：ＹＥＳ）、プロセスがｓ７２０へ移行してセッションが解放された後、本売買契約先紹介処理が終了する。なお、このｓ７２０においては、上記ｓ２４０によるセッションが確立されていなければ、何らの処理も行われない。
（２−２）契約先仲介処理
以下に、売買契約先紹介処理におけるｓ６４０，ｓ４４０にて起動される契約先仲介処理の処理手順を図１０に基づいて説明する。
【００８９】
この契約先仲介処理が起動されると、まず、販売希望データベースとして登録されているデータレコードのうち、その起動に先立って売買契約先紹介処理から販売可能企業側の情報として渡されたのと同じデータレコード，つまり販売可能企業が先に販売希望データベースへと登録したデータレコードについて対応するユーザＩＤのユーザ企業に対する決済処理が行われる（ｓ９２０）。ここでは、データレコードにセットされたユーザＩＤのユーザ企業に対する周知の決済処理が行われる。
【００９０】
このｓ９２０で正常に決済処理が行われたら、販売希望データベースにおける各データレコードのうち、販売データレコードと同じデータレコードが削除される（ｓ９３０）。
【００９１】
次に、売買契約先の紹介が成立した旨を通知するための成立通知情報が生成される（ｓ９４０）。この成立通知情報は、販売データレコードにセットされたユーザＩＤの販売可能企業（即ち、ユーザ），および，購入データレコードにセットされたユーザＩＤの購入希望企業（即ち、ユーザ）それぞれに対して生成されるものである。
【００９２】
具体的には、購入希望企業用の成立通知情報は、図１２（ａ）に示すように、会員データベースとして登録されたデータレコードのうち、販売データレコードにセットされたユーザＩＤと同じユーザＩＤがセットされているデータレコードにつき、このデータレコードにセットされた会員情報それぞれ、及び購入商品情報が配置されてなる電子メールまたはウェブページである。また、販売可能企業用の成立通知情報は、図１２（ｂ）に示すように、購入データレコードにセットされた会員情報それぞれ、購入商品情報、及び手数料の請求書が配置されてなる電子メールまたはウェブページである。
【００９３】
そして、購入データレコードにセットされた電子メールアドレス宛，つまり購入希望企業側に購入希望企業用の成立通知情報が配信されると共に、販売データレコードにセットされた電子メールアドレス宛，つまり販売可能企業側に販売可能企業用の成立通知情報が配信される（ｓ９５０）。
【００９４】
こうして、成立通知情報が配信された後、本契約先仲介処理を終了する。
（３）作用，効果
このように構成された売買契約先紹介システム１によれば、購入希望者に対して、その購入条件情報との適合度が高い販売希望情報と対応付けられた特定情報により特定されるユーザ（以下、商品出品者とする）が、売買契約先として紹介されることになる。
【００９５】
したがって、本実施形態に記載の売買契約先紹介システム１によれば、購入希望者は、商品出品者との間で連絡を取って商品の売買についての交渉を行うことができるようになり、ユーザ間（例えば、建設企業間）での売買契約先の紹介を容易に行うことができるようになる。
【００９６】
このように構成された売買契約先紹介システム１によれば、販売希望者に対して、その販売条件情報との適合度が高い購入希望情報と対応付けられた特定情報により特定される商品購入者が、売買契約先として紹介されることになる。
【００９７】
したがって、本実施形態に記載の売買契約先紹介システム１によれば、販売希望者は、商品購入者との間で連絡を取って商品の売買についての交渉を行うことができるようになり、ユーザ間（例えば、建設企業間）での売買契約先の紹介を容易に行うことができるようになる。
（４）本発明との対応関係
以上説明した実施形態においては、図３のｓ５２０が本発明における販売情報収集手段に相当し、同図ｓ５３０が本発明における販売情報登録手段に相当し、同図ｓ５７０が本発明における販売情報検索手段に相当する。
【００９８】
また、図４のｓ３２０が本発明における購入情報収集手段に相当し、同図ｓ３３０が本発明における購入情報登録手段に相当し、同図ｓ３７０が本発明における購入情報検索手段に相当する。そして、図１０におけるｓ９４０，ｓ９５０が本発明における特定情報送信手段である。
【図面の簡単な説明】
【００９９】
【図１】売買契約先紹介システムとクライアント装置との関係を示すブロック図
【図２】売買契約先紹介処理を示すフローチャート（１／３）
【図３】売買契約先紹介処理を示すフローチャート（２／３）
【図４】売買契約先紹介処理を示すフローチャート（３／３）
【図５】クライアント装置に配信される情報を示す図（１／７）
【図６】クライアント装置に配信される情報を示す図（２／７）
【図７】クライアント装置に配信される情報を示す図（３／７）
【図８】クライアント装置に配信される情報を示す図（４／７）
【図９】クライアント装置に配信される情報を示す図（５／７）
【図１０】契約先仲介処理を示すフローチャート
【図１１】クライアント装置に配信される情報を示す図（６／７）
【図１２】クライアント装置に配信される情報を示す図（７／７）
【符号の説明】
【０１００】
１…売買契約先紹介システム  １０…クライアント装置  ２０…ネットワーク  １１０…登録要求ボタン  １２０…ログイン開始ボタン  １３０，１６０，２６０，２８０，５１０…入力欄  ４０…登録ボタン  １５０…ハイパーリンク  １８０…ログインボタン  ２１０…購入希望登録ボタン  ２２０…販売希望登録ボタン  ２３０…販売条件ボタン  ２４０…購入条件ボタン  ２７０…登録ボタン  ２９０…検索開始ボタン  ４１０…購入希望商品欄  ４２０…質問入力欄  ４３０…送信ボタン  ５２０…登録ボタン  ６１０…購入商品欄  ６２０…販売者情報欄  ６３０…購入者情報欄
【図１】
2010134843.tif 000003
【図２】
2010134843.tif 000004
【図３】
2010134843.tif 000005
【図４】
2010134843.tif 000006
【図５】
2010134843.tif 000007
【図６】
2010134843.tif 000008
【図７】
2010134843.tif 000009
【図８】
2010134843.tif 000010
【図９】
2010134843.tif 000011
【図１０】
2010134843.tif 000012
【図１１】
2010134843.tif 000013
【図１２】
2010134843.tif 000014